(57)【特許請求の範囲】
【請求項１】
軒樋の端部同士を接続する軒樋継手であって、
外継手と内継手を有し、外継手および内継手の軒樋側の表面には溝が設けられ、この溝に中空のトンネル形状を有するパッキンが設けられているとともに、外継手および内継手の軒樋側の表面の左右両端には前記パッキンの外側位置に接着剤が塗布され、
軒樋接続時に外継手と内継手の間に軒樋端部が挟持されると、前記溝から突出している前記パッキンのトンネル部分が、軒樋端部に接触し押圧されて溝内へ押し込まれ、軒樋端部との隙間が密閉された状態となり、この状態において、前記接着剤によって、外継手と軒樋端部とが接着され、内継手と軒樋端部とが接着されて軒樋端部同士が接続可能とされていることを特徴とする軒樋継手。
【請求項２】
軒樋の端部同士を接続する軒樋継手による軒樋接続構造であって、
軒樋継手は、外継手と内継手を有し、外継手および内継手の軒樋側の表面には溝が設けられ、この溝に中空のトンネル形状を有するパッキンが設けられているとともに、外継手および内継手の軒樋側の表面の左右両端には前記パッキンの外側位置に接着剤が塗布され、
外継手と内継手の間に軒樋端部が挟持されて、前記溝から突出している前記パッキンのトンネル部分が、軒樋端部に接触し押圧されて溝内へ押し込まれ、軒樋端部との隙間が密閉された状態となり、この状態において、前記接着剤によって、外継手と軒樋端部とが接着され、内継手と軒樋端部とが接着されて軒樋端部同士が接続されていることを特徴とする軒樋接続構造。
【発明の詳細な説明】
【技術分野】
【０００１】
本願発明は、軒樋の端部同士を接続する軒樋継手に関するものである。
【背景技術】
【０００２】
従来、住宅等の建物の軒先には軒樋が設けられるが、その際、図４に例示したように、隣り合う軒樋１を軒樋継手２により接続することがしばしばある（たとえば特許文献１，２参照）。
【０００３】
この軒樋継手２は、軒樋１の外周面１１に沿った外継手２１と軒樋１の内周面１２に沿った内継手２２とで、軒樋１の端部同士を上下から挟持して接続する。
【特許文献１】特開平８−１７７１８０号公報
【特許文献２】特開平８−１７７１８１号公報
【発明の開示】
【発明が解決しようとする課題】
【０００４】
しかしながら、上記従来の軒樋継手２においては、図５に例示したように、外継手２１、内継手２２と軒樋１端部とを接着する接着剤３を規定量塗布せずに施工すると、水漏れが発生する場合がある。
【０００５】
また、挟持接続時の挟み込みの力で塗布バラツキを低減することもできるが、十分な効果はない。
【０００６】
もちろん従来の軒樋継手２としては、図６に例示したように、外継手２１および内継手２２のいずれか一方のみによって軒樋１端部を接続するタイプもあるが（図６は外継手２１のみで接続）、この場合でもやはり接着剤３の塗布バラツキによって水漏れが発生する場合がある。
【０００７】
そこで、以上のとおりの事情に鑑み、本願発明は、軒樋継手による軒樋端部同士の接続の際に用いられる接着剤が均一に塗布できていなくても、接続部分での水漏れが生じることのない軒樋継手を提供することを課題としている。
【課題を解決するための手段】
【０００８】
上記の課題を解決するものとして、本発明の軒樋継手は、軒樋の端部同士を接続する軒樋継手であって、外継手と内継手を有し、外継手および内継手の軒樋側の表面には溝が設けられ、この溝に中空のトンネル形状を有するパッキンが設けられているとともに、外継手および内継手の軒樋側の表面の左右両端には前記パッキンの外側位置に接着剤が塗布され、軒樋接続時に外継手と内継手の間に軒樋端部が挟持されると、前記溝から突出している前記パッキンのトンネル部分が、軒樋端部に接触し押圧されて溝内へ押し込まれ、軒樋端部との隙間が密閉された状態となり、この状態において、前記接着剤によって、外継手と軒樋端部とが接着され、内継手と軒樋端部とが接着されて軒樋端部同士が接続可能とされていることを特徴とする。さらに、本発明の軒樋接続構造は、軒樋の端部同士を接続する軒樋継手による軒樋接続構造であって、軒樋継手は、外継手と内継手を有し、外継手および内継手の軒樋側の表面には溝が設けられ、この溝に中空のトンネル形状を有するパッキンが設けられているとともに、外継手および内継手の軒樋側の表面の左右両端には前記パッキンの外側位置に接着剤が塗布され、外継手と内継手の間に軒樋端部が挟持されて、前記溝から突出している前記パッキンのトンネル部分が、軒樋端部に接触し押圧されて溝内へ押し込まれ、軒樋端部との隙間が密閉された状態となり、この状態において、前記接着剤によって、外継手と軒樋端部とが接着され、内継手と軒樋端部とが接着されて軒樋端部同士が接続されていることを特徴とする。
【発明の効果】
【００１１】
本発明によれば、溝から突出しているパッキンのトンネル部分が、軒樋接続時に、軒樋端部に接触し押圧されて溝内へ押し込まれた状態となり、軒樋端部との隙間を密閉する。仮に接着剤に塗布バラツキが生じたとしても、水漏れが発生することがない。
【発明を実施するための最良の形態】
【００１４】
図１は、本願発明の一実施形態を示したものである。
【００１５】
本実施形態では、軒樋継手２が、軒樋１の外周面１１に沿った外継手２１と軒樋１の内周面１２に沿った内継手２２とで軒樋１の端部同士を上下から挟持して接続するタイプのものとなっている。
【００１６】
この挟持接続タイプの場合では、まず、外継手２１における軒樋１の外周面１１に面する上面部２１０、および内継手２２における軒樋１の内周面１２に面する下面部２２０に、それぞれ、２列の溝２１１，２２１が設けられており、これら溝２１１，２２１にはパッキン２１２，２２２が設けられている。
【００１７】
パッキン２１２，２２２は、弾性力を持ち、外継手２１および内継手２２をそれらの上面部２１０および下面部２２０の左右両端位置に接着剤３を塗布した状態で軒樋１端部に対して上下方向から圧着させた際に、溝２１１，２２１から上方または下方に突出している部分が、軒樋１端部の外周面１１および内周面１２に接触し押圧されて、溝２１１，２２１内へ押し込まれた状態となり、軒樋１端部との間の隙間を確実に塞ぐことができるものである。
【００１８】
このパッキン２１２，２２２の存在により、接着剤３の塗布量にバラツキがあっても（図１では右側の塗布量が左側よりも少なくなっている）、従来のような水漏れは発生しなくなる。
【００１９】
また、たとえば図２に例示したように、パッキン２１２，２２２は、中空のトンネル形状を有するものとしてもよく、この場合でも、上述と同様に、溝２１１，２２１から突出しているトンネル部分が、軒樋１接続時に、軒樋１端部に接触し押圧されて、溝２１１，２２１内へ押し込まれた状態となり、軒樋１端部との間の隙間を密閉することで、効果的な止水機能を実現することができる。
【００２０】
一方、このようなパッキン２１２，２２２を利用した止水機能は、たとえば図３に例示した実施形態によっても実現される。
【００２１】
この図３の実施形態では、外継手２１の上面部２１０および内継手２２の下面部２２０に、それぞれ、軒樋１の外周面１１および内周面１２の方に向かって突出した板片状の突起２１３，２２３が設けられており、これら突起２１３，２２３に寄りかかるように薄膜状のパッキン２１２，２２２が設けられている。
【００２２】
このパッキン２１２，２２２は、弾性力を持ち、上記と同様に外継手２１および内継手２２を軒樋１端部に圧着させた際に、軒樋１端部の外周面１１および内周面１２に接触し押圧されて、突起２１３，２２３の側面に密着した状態となる。
【００２３】
これにより、軒樋１端部との間の隙間が密閉されることになり、接着剤３の塗布バラツキがあっても水漏れを効果的に防ぐことができるようになる。
【００２４】
なお、以上の説明は、外継手２１および内継手２２の両方を用いた挟持接続タイプの軒樋継手２についてのものであるが、外継手２１および内継手２２のいずれか一方のみでなるタイプについても同様な実施形態とできることは言うまでもなく、外継手２１または内継手２２の構成をそのまま適用させればよい。
【図面の簡単な説明】
【００２５】
【図１】本願発明の一実施形態を示した模式断面図。
【図２】本願発明の別の一実施形態を示した模式断面図。
【図３】本願発明のさらに別の一実施形態を示した模式断面図。
【図４】従来の軒樋継手を例示した分解斜視図。
【図５】従来の軒樋継手を例示した模式断面図。
【図６】従来の別の軒樋継手を例示した分解斜視図。
【符号の説明】
【００２６】
１  軒樋
１１  外周面
１２  内周面
２  軒樋継手
２１  外継手
２１０  上面部
２１１  溝
２１２  パッキン
２１３  突起
２２  内継手
２２０  下面部
２２１  溝
２２２  パッキン
２２３  突起
３  接着剤
【図１】
0004655921.tif 000002
【図２】
0004655921.tif 000003
【図３】
0004655921.tif 000004
【図４】
0004655921.tif 000005
【図５】
0004655921.tif 000006
【図６】
0004655921.tif 000007